(57)【要約】【課題】汎用性の高い光学部材を備える照明装置等を提供する。【解決手段】照明装置１は、光源としての発光素子を備える光源ユニット２と、光源ユニット２から発生された光を配向制御する光学部材３と、光学部材３から出射された光を反射させる反射部材４とを備え、光学部材３は、光源ユニット２から発せられた光を、反射部材４に向かわない範囲で当該光学部材３の中心軸から離れる向きに出射する。【選択図】図８
2020004477.tif 000002
【特許請求の範囲】
【請求項１】
光源としての発光素子を備える光源ユニットと、
前記光源ユニットから発生された光を配向制御する光学部材と、
前記光学部材から出射された光を反射させる反射部材とを
備え、
前記光学部材は、前記光源ユニットから発せられた光を、前記反射部材に向かわない範囲で当該光学部材の中心軸から離れる向きに出射する
照明装置。
【請求項２】
前記光学部材は、
前記光源ユニット対向する部位に形成された平坦部と、
前記光源ユニットと反対側に凸の状態であって前記平坦部の周縁から前記光源ユニットが存在する側に湾曲する湾曲部と
を有し、
前記湾曲部における前記光源ユニット側の面に、前記中心軸を中心とする同心円状の多重の凸条からなるフレネルレンズが形成されている
請求項１に記載の照明装置。
【請求項３】
前記多重の凸条は、当該凸条の前記中心軸と平行な方向の高さが低い小凸条群と、前記高さが高い大凸条群とがあり、
前記小凸条群は前記平坦部側に位置し、
前記小凸条群に含まれる凸条は、前記中心軸と平行に延伸する周面部と、周面部における前記光源ユニット側に位置する端部から当該凸条の外周側に隣接する他の凸条の周面部における前記光源ユニットと反対側に位置する端部へと曲面状に延伸するフレネルレンズ部とを有し、
前記小凸条群に含まれる凸条の周面部における前記中心軸方向の高さは、当該凸条の径方向の長さに対して０．４倍以上０．６倍以下の範囲内にある
請求項２に記載の照明装置。
【請求項４】
光源ユニットから発生された光を配向制御する光学部材において、
前記光源ユニット対向する部位に形成された平坦部と、
前記光源ユニットと反対側に凸の状態であって前記平坦部の周縁から前記光源ユニットが存在する側に湾曲する湾曲部と
を有し、
前記湾曲部における前記光源ユニット側の面に、前記中心軸を中心とする同心円状の多重の凸条からなるフレネルレンズが形成され、
前記多重の凸条は、当該凸条の前記中心軸と平行な方向の高さが低い小凸条群と、前記高さが高い大凸条群とがあり、
前記小凸条群は前記平坦部側に位置し、
前記小凸条群に含まれる凸条は、前記中心軸と平行に延伸する周面部と、周面部における前記光源ユニット側に位置する端部から当該凸条の外周側に隣接する他の凸条の周面部における前記光源ユニットと反対側に位置する端部へと曲面状に延伸するフレネルレンズ部とを有し、
前記小凸条群に含まれる凸条の周面部における前記中心軸方向の高さは、当該凸条の径方向の長さに対して０．４倍以上０．６倍以下の範囲内にある
光学部材。
【発明の詳細な説明】
【技術分野】
【０００１】
本発明は、光源部からの光を配光制御する光学部材を備える照明装置に関する。
【背景技術】
【０００２】
配光制御用の光学部材を備える照明装置として例えば特許文献１がある。
特許文献１に記載の照明装置は、「光源と、前記光源側に配置される第一面、及び、前記第一面から入射した光が出射する第二面を備え、前記光源から入射した光の配光を制御する透光性の光学部材とを備え、前記光学部材は、前；記光源から入射した光の少なくとも一部を全反射させることによって、当該光の光路を制御する全反射部を備え、前記第二面は、前記全反射部に入射した光のうち、全反射した光が出射する制御光領域と、全反射しなかった光が出射する領域である非制御光領域とを備え、前記非制御光領域の少なくとも一部は、前記制御光領域の少なくとも一部より、出射する光を大きく拡散させる」とされている。
【先行技術文献】
【特許文献】
【０００３】
【特許文献１】特開２０１７−５０１８７号公報
【発明の概要】
【発明が解決しようとする課題】
【０００４】
上記照明装置は装置単体で光学設計されている。つまり、照明装置は、光学部材と反射部材とを組み合わせて光学設計されており、反射部材の異なる他の照明装置に光学部材を利用することが難しかった。
本発明は、汎用性の高い光学部材を備える照明装置及び汎用性の高い光学部材を提供することを目的とする。
【課題を解決するための手段】
【０００５】
本発明に係る照明装置は、光源としての発光素子を備える光源ユニットと、前記光源ユニットから発生された光を配向制御する光学部材と、前記光学部材から出射された光を反射させる反射部材とを備え、前記光学部材は、前記光源ユニットから発せられた光を、前記反射部材に向かわない範囲で当該光学部材の中心軸から離れる向きに出射する。
【０００６】
本発明に係る光学部材は、光源ユニットから発生された光を配向制御する光学部材において、前記光源ユニット対向する部位に形成された平坦部と、前記光源ユニットと反対側に凸の状態であって前記平坦部の周縁から前記光源ユニットが存在する側に湾曲する湾曲部とを有し、前記湾曲部における前記光源ユニット側の面に、前記中心軸を中心とする同心円状の多重の凸条からなるフレネルレンズが形成され、前記多重の凸条は、当該凸条の前記中心軸と平行な方向の高さが低い小凸条群と、前記高さが高い大凸条群とがあり、
前記小凸条群は前記平坦部側に位置し、前記小凸条群に含まれる凸条は、前記中心軸と平行に延伸する周面部と、周面部における前記光源ユニット側に位置する端部から当該凸条の外周側に隣接する他の凸条の周面部における前記光源ユニットと反対側に位置する端部へと曲面状に延伸するフレネルレンズ部とを有し、前記小凸条群に含まれる凸条の周面部における前記中心軸方向の高さは、当該凸条の径方向の長さに対して０．４倍以上０．６倍以下の範囲内にある。
【発明の効果】
【０００７】
上記構成によれば、反射部材を用いずに光学部材単体で１／２照度角を６０［°］以上確保でき、光源部材よりも大きな開口を有する反射部材と組み合わせて使用しても、６０［°］以上の１／２照度角が得られる。
【図面の簡単な説明】
【０００８】
【図１】（ａ）は照明装置を表側から見た斜視図であり、（ｂ）は照明装置を裏側から見た斜視図である。
【図２】照明装置の分解状態を表側から見た斜視図である。
【図３】照明装置の分解状態を裏側から見た斜視図である。
【図４】照明装置の断面斜視図であり、（ａ）は表側から見た図であり、（ｂ）は裏側から見た図である。
【図５】光学ユニットを上側から見た図であり、光学ユニット内のＬＥＤ素子の配置関係を示した図である。
【図６】光学部材周辺部の断面拡大図である。
【図７】（ａ）は光学部材を表側から見た図であり、（ｂ）は光学部材を裏側から見た図である。
【図８】（ａ）、（ｂ）は光学ユニットが光を出射した場合の光路を説明する図である。
【図９】反射部材を備えない照明装置の配向特性図である。
【図１０】（ａ）、（ｂ）、（ｃ）はそれぞれ反射部材が異なる照明装置の配向特性図である。
【発明を実施するための形態】
【０００９】
＜概要＞
実施形態の一態様に係る照明装置は、光源としての発光素子を備える光源ユニットと、前記光源ユニットから発生された光を配向制御する光学部材と、前記光学部材から出射された光を反射させる反射部材とを備え、前記光学部材は、前記光源ユニットから発せられた光を、前記反射部材に向かわない範囲で当該光学部材の中心軸から離れる向きに出射する。
実施形態の別態様に係る照明装置において、前記光学部材は、前記光源ユニット対向する部位に形成された平坦部と、前記光源ユニットと反対側に凸の状態であって前記平坦部の周縁から前記光源ユニットが存在する側に湾曲する湾曲部とを有し、前記湾曲部における前記光源ユニット側の面に、前記中心軸を中心とする同心円状の多重の凸条からなるフレネルレンズが形成されている。これにより、光学部材単体で１／２照度角を６０［°］以上確保できる。
【００１０】
実施形態の別態様に係る照明装置において、前記多重の凸条は、当該凸条の前記中心軸と平行な方向の高さが低い小凸条群と、前記高さが高い大凸条群とがあり、前記小凸条群は前記平坦部側に位置し、前記小凸条群に含まれる凸条は、前記中心軸と平行に延伸する周面部と、周面部における前記光源ユニット側に位置する端部から当該凸条の外周側に隣接する他の凸条の周面部における前記光源ユニットと反対側に位置する端部へと曲面状に延伸するフレネルレンズ部とを有し、前記小凸条群に含まれる凸条の周面部における前記中心軸方向の高さは、当該凸条の径方向の長さに対して０．４倍以上０．６倍以下の範囲内にある。これにより、光学部材単体で１／２照度角を６０［°］以上確保できる。
【００１１】
＜第１実施形態＞
１．概要
実施形態に係る照明装置１は、図１に示すように、天井壁等の設置面の開口（図示省略）に嵌合する状態で使用する、所謂、ダウンライトである。
照明装置１は設置面に対して直交する方向の一方側を照射する装置である。設置面が天井壁の場合、照射方向は下方となる。ここで、光の出射方向を表側や下側とし、設置面側を裏側や上側とする。
照明装置１は、図２及び図３に示すように、光源ユニット２、光学部材３及び反射部材４を備える。照明装置１は、光源ユニット２から出射された光が光学部材３で配向制御され、制御された光の一部と反射部材４で反射した光を、装置から出射する。
【００１２】
照明装置１は、ここでは、光源ユニット２を搭載する放熱部材５と、光源ユニット２を放熱部材５に搭載するためのホルダ６とを備える。照明装置１は反射部材４を固定するためのフレーム７を備える。
つまり、一例である照明装置１は、光源ユニット２と、光源ユニット２を表面に搭載する放熱部材５と、光源ユニット２を放熱部材５に固定するためのホルダ６と、光源ユニット２から出射された光を配光制御する光学部材３と、光学部材３から出射された光の一部を反射させる反射部材４と、光学部材３と反射部材４とを保持するフレーム７とを備える。
照明装置１は装置を設置面に装着するための複数本（ここでは２本）の装着ばね８１を備える。
以下、各部について説明する。
【００１３】
２．各部構成
（１）光源部
主に、図２及び図３を用いて説明する。
光源ユニット２は光源としてのＬＥＤ素子を１個又は複数個備え、当該ＬＥＤ素子は基板２１に実装されている。ＬＥＤ素子は透光性樹脂２３により被覆されている。このため、ＬＥＤ素子は図２に現れていない。なお、ＬＥＤ素子の配置関係については、図５を用いて後述する。
【００１４】
（２）放熱部材
放熱部材５は、図２及び図３に示すように、搭載部材５１及び複数のフィン５３を有する。ここでの放熱部材５は、複数のフィン５３の干渉を防止する位置決め板５２を有している。なお、搭載部材５１には光源ユニット２が絶縁シート８２を介して搭載される。
【００１５】
（２−１）搭載部材
搭載部材５１は、円板状をし、その中央部分に光源ユニット搭載部５１１を有する。搭載部材５１はフィン固定用の複数個のねじ孔５１３を有する。搭載部材５１はホルダ固定用のねじ孔５１５を有する。搭載部材５１は組み立て用の貫通孔５１６を有する。搭載部材５１は、光源ユニット２に給電するための給電ケーブル（図示省略）を固定するための固定具８３用の欠け部５１７を有する。搭載部材５１はアース線８４を固定するねじ９１用のねじ孔５１９を有する。
【００１６】
（２−２）フィン
フィン５３は薄板材から構成される。フィン５３は複数個のフィン板５５，５７からなる。フィン板５５は、一対のフィン部５５１と、一対のフィン部５５１を連結する連結部５５３とを有する「コ」字に加工されている。フィン板５７は、長辺のフィン部５７１と短辺のフィン部５７３とを有する「Ｌ」字状に加工されている。
２個のフィン板５７と３個のフィン板５５は、並設する３個のフィン板５５を並設方向の外側から挟む状態で、搭載部材５１のねじ孔５１３に螺合するねじ９２より固定されている。
【００１７】
（３）ホルダ
以下、主に図３及び図４を用いて説明する。
ホルダ６は、放熱部材５（搭載部材５１）の表面に搭載された光源ユニット２を保持する機能を有する。光源ユニット２は透光性樹脂２３が表側に露出するよう取り付けられている。
ホルダ６は、光源ユニット２の透光性樹脂２３用の開口６１を有する板状部６２を有する。ホルダ６は複数個の貫通孔６３を板状部６２に有し、当該貫通孔６３を挿通するねじ９３が搭載部材５１のねじ孔５１５に螺合する。これにより、光源ユニット２は、基板２１を搭載部材５１に押圧（支持）する状態で、搭載部材５１に取り付けられる。
ホルダ６は、給電ケーブルを固定するための固定具８３用の欠け部６４を板状部６２に有する。ホルダ６は、フレーム７を放熱部材５（搭載部材５１）に固定するためのねじ９４用の欠け部６５を周方向に間隔をおいて複数個（例えば３個）板状部６２に有する。
【００１８】
（４）光学部材
図６を用いて光学部材３について説明する。
光学部材３は透光性樹脂からなる。光学部材３は、全体として球冠状をし、光源ユニット２と対向する平坦部３１と、平坦部３１の周縁から裏側に湾曲する湾曲部３２とを有する。
平坦部３１及び湾曲部３２の表面には、図６の（ａ）の拡大図に示すように、不定形のディンプル３３が形成されている。湾曲部３２の裏面にはフレネルレンズを構成する凸条（溝）３４が同心円状に複数形成されている。
光学部材３は湾曲部３２の外周縁には段差部３５（図４参照）が形成されている。光学部材３は、段差部３５を利用してホルダ６に取り付けられる。
光学部材３は、反射部材４を備えない照明装置において、３［ｍ］離れた照度面での１／２照度角が６０［°］以上となるように構成されている。
なお、ディンプル３３と凸条３４については後で詳細に説明する。
【００１９】
（５）反射部材
反射部材４は、表側拡がりの円筒状をする筒部４１と、筒部４１の内周面に形成された反射面４３とを有する。反射部材４は筒部４１の裏側端部に径方向の外方へ張り出す張出部４５を周方向に等間隔を置いて複数個（３個）有している。張出部４５は後述のフレーム７の裏内鍔部７４の係合部分７４１に係合する。ここでの反射面４３は筒部４１の内周面に塗布された高反射率の白色塗料により構成される。
反射部材４の筒部４１の裏側開口は、図４に示すように、光学部材３、反射部材４、フレーム７が放熱部材５に装着される際に、光学部材３の段差部３５と嵌合する。
【００２０】
（６）フレーム
主に図２及び図３を用いて説明する。
フレーム７は内部に反射部材４を収容できる筒部７１を有する。
フレーム７は径方向の外方へ張り出す表外鍔部７２を筒部７１の表側端部に有する。表外鍔部７２は、照明装置１を設置面の開口に取り付けた際に、設置面の開口周辺部と対向する。
フレーム７は装着ばね８１を固定するための固定部７３を筒部７１の外周面に有している。固定部７３は装着ばね８１の取付部８１１と嵌合する嵌合溝等により構成される。
フレーム７は、図３に示すように、径方向の内方へ張り出す裏内鍔部７４を筒部７１の裏側端に近い部位に有する。フレーム７は、反射部材４の張出部４５と係合する係合部分７４１と、張出部４５を受け入れる欠け部分７４２とをそれぞれ周方向に間隔を置いて複数個（３個）有している。
フレーム７は裏側に突出するボス部７５を裏内鍔部７４に有する。ボス部７５にはねじ孔７５１が設けられ、搭載部材５１の貫通孔５１６を挿通するねじ９４がねじ孔７５１に螺合する。これにより、光学部材３、反射部材４及びフレーム７が放熱部材５側に取り付けられる。
【００２１】
３．光学部材
光学部材３は、光源ユニット２から出射された光を反射、屈折させて、反射部材４に向かう光を少なくするように光学設計されている。具体的には、ＬＥＤ素子の主出射方向（ＬＥＤの発光層と直交する方向であり、平行な方向も含む）に対して傾斜して入射した光を光学部材３の中心軸に対して広がるように屈折させている。これにより、光学部材３から反射部材４に到達する光を少なくして、反射部材４の異なる照明装置に光学部材を使用しても、反射部材の影響を少なくできる。
【００２２】
以下、具体的に説明する。
（１）光源ユニット
まず、光源ユニット２のＬＥＤ素子の配置について説明する。光源ユニット２は、図５に示すように、１８個のＬＥＤ素子２５を備える。１８個のＬＥＤ素子２５は、光の出射方向から見ると一辺が１．３［ｍｍ］の方形状をする。１８個のＬＥＤ素子２５は、同じタイプであり、４個のＬＥＤ素子２５がＬＥＤ基板の中央に一直線上に配されている（図５のＡ列）。この４個のＬＥＤ素子２５を第Ａ群とする。第Ａ群内の中央側の２個のＬＥＤ素子２５のピッチは２．２［ｍｍ］であり、中央の２個のＬＥＤ素子２５とその外側のＬＥＤ素子２５とのピッチは２．１［ｍｍ］である。
【００２３】
第Ａ群のＬＥＤ素子２５の両側に４個のＬＥＤ素子２５が配されている。この４個のＬＥＤ素子２５を第Ｂ群とする（図５のＢ列）。第Ｂ群は、第Ａ群に対して１．４［ｍｍ］のピッチで、第Ａ群の配置方向と直交する方向に離れている。第Ｂ群内の中央側の２個のＬＥＤ素子２５のピッチは２．０［ｍｍ］であり、中央の２個のＬＥＤ素子２５とその外側のＬＥＤ素子２５とのピッチは１．８［ｍｍ］である。
【００２４】
３個のＬＥＤ素子２５が、２つの第Ｂ群に対して第Ａ群の配置方向と直交する方向であって第Ａ群が存在しない側に配されている（図５のＣ列）。この３個のＬＥＤ素子２５を第Ｃ群とする。第Ｃ群は、第Ｂ群に対して１．４［ｍｍ］のピッチで第Ａ群の配置方向と直交する方向に離れている。第Ｃ群内の３個のＬＥＤ素子２５のピッチは１．４［ｍｍ］であり、第Ｃ群の中央のＬＥＤ素子２５が第Ａ群の配置方向と直交する方向のピッチが１．８［ｍｍ］である。
なお、透光性樹脂２３は光の出射方向から見ると円形状をし、その直径Ｄ（図６参照）が９．８［ｍｍ］である。
１８個のＬＥＤ素子２５の第Ａ群の配置方向のピッチの平均は１．７８[ｍｍ]であり、配置方向と直交する方向のピッチは１．４６[ｍｍ]である。
１８個のＬＥＤ素子２５おいて外側に位置する１２個のＬＥＤ素子２５は、直径６．４［ｍｍ］の円周上に中心が略位置するように、配されている。この１２個のＬＥＤ素子２５が位置する円をＬＥＤ素子の実装円ともいう。
【００２５】
（２）光学部材全体
光学部材３は、上述のように、平坦部３１と湾曲部３２とを有し、表面に不定形のディンプル３３（図７の（ａ）参照）が形成され、裏面にフレネルレンズ用の凸条３４（図７の（ｂ）参照）が形成されている。
【００２６】
（２−１）平坦部
平坦部３１は、図７に示すように円形状をし、図６に示すようにその直径は光源ユニット２の透光性樹脂２３の直径よりも大きい。ここでは、平坦部３１の直径Ｄ１は１２．９［ｍｍ］であり、透光性樹脂２３の直径Ｄに対して、１．１倍以上１．５倍以下の範囲、好ましくは１．２倍以上１．４倍以下の範囲内がよい。ＬＥＤ素子２５の実装円を基準にすると、平坦部３１の直径Ｄ１は、実装円の直径に対して約２倍であり、１．５倍以上２．５倍以下の範囲が好ましい。これにより直下照度を確保できる。
平坦部３１と光源ユニット２の界面（表面）との距離は、５．４［ｍｍ］であり、透光性樹脂２３の直径Ｄに対して０．４倍以上０．７倍以下の範囲内が好ましく、実装円の直径に対して０．６倍以上１．０倍以下の範囲内が好ましい。これにより直下照度を確保できる。
平坦部３１は、その表面と裏面とで凹レンズを構成しており、光源ユニット２から平坦部３１に入射したほとんどの光が中心軸との間の角度が広がる状態で出射することとなる（例えば、図８に示す、光路Ｌ１、光路Ｌ２である）。これにより、平坦部３１から出射する光の多くは反射部材４による影響を受け難くできる。
【００２７】
（２−２）湾曲部
湾曲部３２の断面の表面は円弧状をしている（図６参照）。これにより、表側から照明装置１を見たときの光学部材３の意匠性を高めることができる。
湾曲部３２は、光源ユニット２から発せられて中心軸から離れる方向に向かう光を裏面の凸条３４と表面とで、中心軸に近い領域では反射面４３に向かわない範囲で中心軸から離れるように、中心軸から離れた領域では反射面４３に向かわない範囲であって中心軸から離れるように又は中心軸に近づくように、構成されている。
【００２８】
凸条３４は、図６及び図７の（ｂ）からわかるように、同心円状に形成されている。凸条３４は、図６に示すように、中心軸と平行な周面からなる周面部と、周面部における裏側端から当該凸条の外側に位置する凸条の周面部の表側端とを結ぶ曲面からフレネルレンズ部とからなる。
凸条３４は、内周側から、第１凸条３４１、第２凸条３４２、第３凸条３４３、第４凸条３４４、第５凸条３４５、第６凸条３４６、第７凸条３４７とし、同心円状で合計で７個（７重）ある。
図６に示すように、複数の凸条３４は、突出量が小さい（中心軸方向の寸法が小さい）小凸条群３６に属するものと、突出量が小凸条群よりも大きい（中心軸方向の寸法が大きい）大凸条群３７に属するものとがある。
ここでは、小凸条群３６に属する凸条３４は第１凸条３４１〜第４凸条３４４の４個であり、大凸条群３７に属する凸条３４は第５凸条３４５〜第７凸条３４７の３個である。
【００２９】
７個の凸条３４の径方向のピッチは略一定である。ここでいうピッチは、対象の凸条において、対象の凸条の径方向の外側に隣接する凸条の頂点の直径と、対象の凸条の頂点の直径との差の半分である。例えば、第１凸条３４１のピッチは、第２凸条３４２の頂点の直径をＤ２とし、第１凸条３４１の頂点の直径Ｄ１とすると、（Ｄ２−Ｄ１）／２で算出される。なお、凸条３４の径方向のピッチは、凸条３４のフレネルレンズ部の径方向の長さでもある。
また、略一定とは、全凸条３４のピッチの平均（１．６［ｍｍ］）に対して、各凸条３４のピッチが、平均値の０．８５倍から１．１５倍の範囲内にあることをいう。
ここで、第１凸条３４１の頂点の直径Ｄ１は平坦部３１の直径と同じであり、１２．９［ｍｍ］である。第２凸条３４２の頂点の直径Ｄ２は１５．９［ｍｍ］であり、第３凸条３４３の頂点の直径Ｄ３は１９．２［ｍｍ］であり、第４凸条３４４の頂点の直径Ｄ４は２２．５［ｍｍ］であり、第５凸条３４５の頂点の直径Ｄ５は２５．６［ｍｍ］であり、第６凸条３４６の頂点の直径Ｄ６は２８．８［ｍｍ］であり、第７凸条３４７の頂点の直径Ｄ６は３２．０［ｍｍ］であり、第７凸条３４７のフレネルレンズ部の表側端の直径Ｄ８は３５．３［ｍｍ］である。
なお、凸条３４のピッチの平均は、複数個のＬＥＤ素子２５のピッチに対して、０．６倍以上１．３倍以下の範囲内にある。これにより、光源ユニット２からの多くの光を拡散できる。
【００３０】
小凸条群３６に属する４個の第１凸条３４１の高さＨ１〜第４凸条３４４の高さＨ４は略一定である。ここでの高さは中心軸方向の寸法である。換言すると、凸条３４は、周面部の中心軸方向の長さでもある。ここでいう、略一定とは、第１凸条３４１の高さＨ１〜第４凸条３４４の高さＨ４の平均に対して、各凸条３４１〜３４４の高さＨ１〜Ｈ４が、平均値の０．８５倍以上１．１５倍以下の範囲内にあることをいう。なお、小凸条群３６に属する４個の凸条３４の高さＨ１〜Ｈ４は０．８［ｍｍ］である。
第１凸条３４１から第４凸条３４４において、高さは径方向長さに対して０．４倍以上０．６倍以下の範囲内にある。これにより、光源ユニット２から凸条３４の周面部に入射する光を少なくでき、光源ユニット２からの光の取り出し効率を高めることができる。なお、光源ユニット２から小凸条群３６の各フレネルレンズ部に入射した光は、中心軸から広がる状態で出射することとなる（例えば、図８に示す、光路Ｌ３〜Ｌ６である）。
【００３１】
大凸条群３７に属する３個の第５凸条３４５〜第７凸条３４７の高さは略一定である。ここでいう、略一定とは、第５凸条３４５の高さＨ５〜第７凸条３４７の高さＨ７の平均に対して、各高さＨ５〜Ｈ７が０．８５倍以上１．１５倍以下の範囲内にあることをいう。なお、大凸条群３７に属する第５凸条３４５の高さＨ５は２．３［ｍｍ］であり、第６凸条３４６の高さＨ６は２．２［ｍｍ］であり、第７凸条３４７の高さＨ７は３．０［ｍｍ］である。
第５凸条３４５から第７凸条３４７において、高さＨは径方向の長さに対して、１．４倍以上１．８倍以下の範囲内にある。これにより、光源ユニット２から大凸条群３７の凸条の周面部に入射した光は、そのフレネルレンズ部で反射して中心軸に近づく状態（例えば、図８に示す光路Ｌ８である）又は中心軸から広がる状態（（例えば、図８に示す、光路Ｌ９である）で出射することとなる。
【００３２】
光源ユニット２との関係において、図６に示すように、ＬＥＤ素子２５の実装円上に位置するＬＥＤ素子２５の１／２ビーム角（例えば６０［°］である）を示す一方の仮想線Ｋ１が小凸条群３６の最外周に位置する第４凸条３４４（ＬＥＤ素子から近い距離にある）のフレネルレンズ部（の外周縁近傍）と交差し、１／２ビーム角を示す他方の仮想線Ｋ２が小凸条群３６の最内周に位置する第１凸条３４１（ＬＥＤ素子から遠い距離にある）のフレネルレンズ部（の内周縁近傍）と交差するように、平坦部３１及び小凸条群３６が構成されている。これにより、ＬＥＤ素子２５から出射される光を有効に利用できる。
【００３３】
小凸条群３６に属する４個の第１小凸条３４１〜第４小凸条３４４の高さは、大凸条群３７に属する３個の第５凸条３４５〜第７凸条３４７の高さに対して、０．２倍以上０．３倍以下の範囲内にある。
【００３４】
（３）ディンプル
ディンプル３３は、図７の（ａ）に示すように、不定形をしている。ここでいう不定形とは、任意のディンプル３３ａにおいて、当該ディンプル３３ａの周囲に隣接する他のディンプル３３ｂ〜３３ｇの形状が異なることをいう。ディンプル３３の１個を表側から見たときの面積は０．３９［ｍｍ２］以上０．７５［ｍｍ２］以下の範囲内にある。これにより拡散効果を高めることができる。
【００３５】
（４）光路
図８は、実施形態で説明した光学部材３と光源ユニット２を用いた照明装置から出射される光路を示す図である。
光学部材３は、反射面４３に向かう光を少なくなるように設計されている。
図８に示すように、光源ユニット２から光学部材３の平坦部３１に向かう光は、光路Ｌ１，Ｌ２のように、照明装置１（光学部材３）の中心軸に対して傾斜して入射した光は、中心軸から離れる（拡散する）ようにして光学部材３から出射される。この場合、光学部材３から出射する光は反射面４３で反射されない。
【００３６】
光源ユニット２から小凸条群３６のフレネルレンズ部に向かう光は、光路Ｌ３〜Ｌ６に示すように、反射面４３に向かわずに、中心軸から離れる向きで光学部材３から出射される。
光源ユニット２から小凸条群３６の周面部に向かう光は、光路Ｌ９〜Ｌ１２に示すように、湾曲部３２の表面で裏側へと反射する。この際、小凸条群３６の周面部の高さと径方向の長さとの比（高さ／長さ）が１より小さく、小凸条群３６が光源ユニット２よりも大きい平坦部３１の外周側に位置することから、光源ユニット２から小凸条群３６の周面部に入射する光を少なくできる。
【００３７】
なお、小凸条群３６の凸条３４の高さを小さくすることで、凸条３４の周面部に入射する光を小さくできるが、湾曲部３２の表面から出射させる光の角度の制御が難しくなる。また、光源ユニット２と小凸条群３６との位置関係から、光源ユニット２から小凸条群３６の周面部に入射して当該凸条３４のフレネルレンズ部に向かう光（大凸条群３７での光路Ｌ７、Ｌ８に相当する）はほとんどない。
光源ユニット２から大凸条群３７の周面部に向かう光は、光路Ｌ７，Ｌ８に示すように、周面部から入射してフレネルレンズ部で反射して中心軸から離れる(光路Ｌ７）又は近づく（光路Ｌ８）ように湾曲部３２から出射される。なお、光源ユニット２から大凸条群３７のフレネルレンズ部に向かう光は、ＬＥＤ素子２５の発光特性により、ほとんどない。
このように、光学部材３を反射面４３の影響を受け難くできる。
【００３８】
（５）配向特性
図９は反射部材を備えない照明装置の配向特性図である。
なお、配向特性図は解析結果であり、後述の１／２照度角も解析結果である。
照明装置は上記の光学部材３を備える。図９に示すように、反射部材を備えない照明装置において、１／２照度角が６８．８［°］となっており、目標の１／２照度角が６０［°］以上となっている。
なお、１／２照度角は、照明装置直下を結んだ線と、照明装置直下の水平面照度の１／２の水平面照度となる点を結んだ線との間の角度をいう。なお、解析の照度面は、照明装置から３，０００［ｍｍ］下方に離れた面である。
図１０は、反射部材のサイズが異なる３種類の照明装置の配向特性図である。
照明装置は上記光学部材を備える。
同図の（ａ）は、図６の高さＨ８が３０．２［ｍｍ］、直径Ｄ９が７０［ｍｍ］、中心軸に対する反射面４３の角度は２２．８［°］であり、１／２照度角が６３．５［°］である。
同図の（ｂ）は、図６の高さＨ８が４２．０［ｍｍ］、直径Ｄ９が１００［ｍｍ］、中心軸に対する反射面の角度は３２．１［°］であり、１／２照度角が６２．８［°］である。
同図の（ｃ）は、図６の高さＨ８が６４．０［ｍｍ］、直径Ｄ９が１５０［ｍｍ］、中心軸に対する反射面の角度は３９．５［°］であり、１／２照度角が６５．８［°］である。このように、上記の光学部材３を備える照明装置では、反射部材４の影響を受け難く、１／２照度角が６０［°］以上の配向特性が得られる。
【００３９】
以上、実施形態を説明したが、本発明はこの実施形態に限られるものではなく、また、実施形態に記載していていない例や、要旨を逸脱しない範囲の設計変更があっても本発明に含まれる。
【符号の説明】
【００４０】
１    照明装置
２    光源ユニット
３    光学部材
４    反射部材
【図１】
2020004477.tif 000003
【図２】
2020004477.tif 000004
【図３】
2020004477.tif 000005
【図４】
2020004477.tif 000006
【図５】
2020004477.tif 000007
【図６】
2020004477.tif 000008
【図７】
2020004477.tif 000009
【図８】
2020004477.tif 000010
【図９】
2020004477.tif 000011
【図１０】
2020004477.tif 000012